(57)【要約】      （修正有）【課題】ロール紙を上方または下方のいずれに引いても切断することの可能な医療用プリンタを提供する。【解決手段】ロール紙Ｐを収容する本体部１０２と、前面を覆う前面パネル１０４Ａを備え、本体部１０２に対して開閉可能に設けられる可動部１０４と、可動部１０４に設けられ、本体部１０２と可動部１０４とにより形成される排出口から排出されるロール紙Ｐを切断する第１切断部１３０と、可動部１０４の開閉状態に応じて、前面パネル１０４Ａまたは第１切断部１３０を可動部１０４の回転中心１０４Ｃに対して径方向にスライドさせるスライド部と、を備える。【選択図】図６
2016030417.tif 000002
【特許請求の範囲】
【請求項１】
ロール紙を収容する本体部と、
前面を覆う前面パネルを備え、前記本体部に対して開閉可能に設けられる可動部と、
前記可動部に設けられ、前記本体部と前記可動部とにより形成される排出口から排出される前記ロール紙を切断する第１切断部と、
前記可動部の開閉状態に応じて、前記前面パネルまたは前記第１切断部を前記可動部の回転中心に対して径方向にスライドさせるスライド部と、
を備える、医療用プリンタ。
【請求項２】
前記スライド部は、
前記前面パネルの内面に設けられたリブと、
前記リブと当接するように前記本体部に設けられたカムと、
からなり、
前記可動部が開状態のとき、前記前面パネルは、前記カムによって径方向外周側にスライドされ、前記第１切断部は、スライドされた前記前面パネルに収容される、請求項１に記載の医療用プリンタ。
【請求項３】
前記カムは、前記可動部が閉状態から所定の角度開いたときに、前記前面パネルを径方向外周側にスライドさせる形状に形成されている、請求項２に記載の医療用プリンタ。
【請求項４】
前記スライド部は、前記可動部が開状態のとき、前記前面パネルの底面と前記本体部の底面とが対向する位置に設けられた突起部からなり、
前記可動部が開状態のとき、前記前面パネルは、前記突起部によって径方向外周側にスライドされ、前記第１切断部は、スライドされた前記前面パネルに収容される、請求項１に記載の医療用プリンタ。
【請求項５】
前記スライド部は、
前記第１切断部の刃先と反対側に設けられた摺動部と、
前記本体部に設けられ、前記摺動部をガイドするガイド部と、
からなり、
前記可動部が開状態のとき、前記第１切断部は、前記摺動部が前記ガイド部によって径方向外周側にスライドされ、前記前面パネルに収容される、請求項１に記載の医療用プリンタ。
【請求項６】
前記スライド部は、
前記第１切断部の刃先と反対側に設けられた摺動部と、
前記本体部に設けられ、前記摺動部をガイドするガイド部と、
前記可動部が閉状態のとき前記第１切断部と前記可動部の回転中心とを結ぶ方向に伸長するように、前記第１切断部に設けられるばね部材と、
からなり、
前記可動部が閉状態から所定の角度開いたときに、前記摺動部が前記ばね部材によって径方向外周側に引き込まれ、前記第１切断部が記前面パネルに収容される、請求項１に記載の医療用プリンタ。
【請求項７】
前記第１切断部は、前記排出口の幅方向に配置された１または複数のカッター刃からなる、請求項１に記載の医療用プリンタ。
【請求項８】
前記本体部に設けられ、前記排出口から排出される前記ロール紙を切断する第２切断部を備える、請求項１に記載の医療用プリンタ。
【発明の詳細な説明】
【技術分野】
【０００１】
本開示は、ロール紙に印刷する医療用プリンタに関する。
【背景技術】
【０００２】
プリンタには、その使用現場や用途に合った性能や使い易さが求められる。医療業務においても、診療、検査、医事等のプリンタを使用する状況に応じてそれぞれ要求される性能や使い易さは異なる。性能面では、例えばカルテ等に印字するプリンタには高速印刷が求められる。また、超音波診断の画像を印刷するプリンタには色の濃淡により患部や胎児の様子等が判断されるため、超音波診断機用プリンタには印刷用紙のザラつきや機械特有のムラ等が原因となる色の濃淡が発生しない画質が求められる。一方、使い易さに関しては、プリンタの操作性に加えて、使用に際して設置場所を選ばないこと、省スペースであること等が求められる。
【０００３】
例えば図１８に示すような基台１１に設けられた車輪１２によって移動可能なカート１０に医療検査機器１５とともにキーボード１６やディスプレイ１７と搭載して使用するプリンタには、長尺の用紙をロール状にしたロール紙に印刷するプリンタが適している。ロール紙に印刷するプリンタは、印刷量に応じて用紙を切断することができ、また、用紙を効率的に収容可能であるため小型化しやすい。
【０００４】
ロール紙に対して印刷するプリンタの場合には、出力時にロール紙の印刷済部分を切断する必要がある。自動的にロール紙を切断するオートカット機構を設けるとプリンタのサイズが大きくなりコストも高くなるため、ユーザがロール紙をカッター刃に当てて引くことでロール紙を切断するマニュアルカット機構を採用するプリンタも多い。マニュアルカット機構を備えるプリンタは、例えば特許文献１、２に示すようなものがある。特許文献１、２のマニュアルカット機構は、ユーザがプリンタから排出されたロール紙を把持して当該ロール紙の排出方向と反対側にめくり上げカッター刃に当てて引くことで、ロール紙に亀裂を生じさせて切断するものである。
【先行技術文献】
【特許文献】
【０００５】
【特許文献１】特開２０１１−３７０６４号公報
【特許文献２】特開平０８−３４５５３号公報
【発明の概要】
【発明が解決しようとする課題】
【０００６】
しかし、上記特許文献１、２に記載のプリンタは、ロール紙を切断する際にロール紙を引く方向が限られており、プリンタの設置場所に制限があった。小型プリンタには排出されたロール紙を下方に引くためのクリアランスがないため、通常はロール紙を上方に引いて切断できるようにロール紙の搬送路上面にマニュアルカット機構が設けられている。しかし、例えば図１８に示すようにプリンタ１８をカート１０に搭載する場合を考えると、図１８の例ではプリンタ１８の設置場所はキーボード１６が載置されたテーブル１４ａの下側にある棚１４ｂ、１４ｃに限られる。例えば棚１４ｂにプリンタ１８を設置すると、マニュアルカット機構が設けられている上方にロール紙を引くためのクリアランスがなく、ロール紙の切断が困難となる。
【０００７】
また、ロール紙を下方に引いて切断できるようにプリンタの搬送路下面にもマニュアルカット機構を設けることも考えられる。しかし、ロール紙の排出口は、通常、ロール紙をプリンタに収容するために開閉する可動部となっている。構造安全上の観点から、可動部にカッター刃を設けることはできない。
【０００８】
そこで、本開示では、ロール紙を上方または下方のいずれに引いても切断することの可能な、新規かつ改良された医療用プリンタを提案する。
【課題を解決するための手段】
【０００９】
本開示によれば、ロール紙を収容する本体部と、前面を覆う前面パネルを備え、本体部に対して開閉可能に設けられる可動部と、可動部に設けられ、本体部と可動部とにより形成される排出口から排出されるロール紙を切断する第１切断部と、可動部の開閉状態に応じて、前面パネルまたは第１切断部を可動部の回転中心に対して径方向にスライドさせるスライド部と、を備える、医療用プリンタが提供される。
【発明の効果】
【００１０】
以上説明したように本開示によれば、ロール紙を上方または下方のいずれに引いても切断することの可能な医療用プリンタが提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１１】
【図１】本開示の第１の実施形態に係る医療用プリンタを示す全体斜視図である。
【図２】同実施形態に係る医療用プリンタの可動部を開けた状態を示す全体斜視図である。
【図３】可動部の前面図である。
【図４】可動部の背面図である。
【図５】可動部の上面図である。
【図６】可動部が本体部に閉じられた閉状態を示した図３のＡ−Ａ断面に対応する部分断面図であって、上部切断部によりロール紙Ｐを切断している状況を示す。
【図７】図６と同一の部分断面図であって、下部切断部によりロール紙を切断している状況を示す。
【図８】可動部が途中まで開いている状態を示す部分断面図である。
【図９】可動部が全開された開状態を示す部分断面図である。
【図１０】本開示の第２の実施形態に係るプリンタの可動部が本体部に閉じられた閉状態を示した図３のＡ−Ａ断面に対応する部分断面図である。
【図１１】可動部が全開された開状態を示す部分断面図である。
【図１２】本開示の第３の実施形態に係るプリンタの可動部が本体部に閉じられた閉状態を示した図３のＡ−Ａ断面に対応する部分断面図である。
【図１３】可動部が途中まで開いている状態を示す部分断面図である。
【図１４】可動部が全開された開状態を示す部分断面図である。
【図１５】本開示の第４の実施形態に係るプリンタの可動部が本体部に閉じられた閉状態を示した図３のＡ−Ａ断面に対応する部分断面図である。
【図１６】可動部が途中まで開いている状態を示す部分断面図である。
【図１７】可動部が全開された開状態を示す部分断面図である。
【図１８】カートに搭載されるプリンタの設置例を説明する斜視図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．第１の実施の形態（カム機構による前面パネルのスライド）
１．１．全体構成
１．２．マニュアルカット機構
（１）上側切断部（第２切断部）
（２）下側切断部（第１切断部）
（３）スライド部
１．３．ロール紙の切断
２．第２の実施形態（突起部による前面パネルのスライド）
２．１．突起部
２．２．突起部による前面パネルのスライド
３．第３の実施形態（ガイド部による下部切断部のスライド）
３．１．下部切断部の構成
３．２．カッター刃のスライド
４．第４の実施形態（カム機構による下部切断部のスライド）
４．１．下部切断部の構成
４．２．カッター刃のスライド
【００１４】
＜１．第１の実施形態＞
［１．１．全体構成］
まず、図１および図２を参照して、本開示の第１の実施形態に係る医療用プリンタ１００の概略構成について説明する。図１は、本実施形態に係る医療用プリンタ１００を示す全体斜視図である。図２は、本実施形態に係る医療用プリンタ１００の可動部１０４を開けた状態を示す全体斜視図である。なお、以下では、医療用プリンタ１００を単にプリンタ１００ともいう。
【００１５】
本実施形態の医療用プリンタ１００は、例えば超音波診断装置に設けられ、医療検査機器である超音波を発生・送信し、生体内で反射した超音波を受信するプローブの受信信号に基づき生成された画像をロール紙に印刷する感熱式プリンタである。本技術はこのような医療用プリンタ１００への適用のみに限定されず、ユーザがロール紙を切断するマニュアルカット機構を有するプリンタであれば適用可能である。医療用プリンタ１００は、図１８に示すようなカート１０にプリンタ１８のように搭載されて使用されることを想定する。
【００１６】
また、本実施形態に係る医療用プリンタ１００は感熱式プリンタを想定しているが、本発明はかかる例に限定されない。例えばインクジェット式のプリンタであってもよい。このように、本技術はプリンタの印刷方式に関係なく適用できるものであるので、プリンタの印刷機能についての説明は省略するが、プリンタ１００の本体部１０２にはロール紙Ｐに対して印刷を行う印刷ユニットを備えている。ロール紙Ｐの材質、厚みは特に限定されるものではない。例えばロール紙Ｐには、約１００μｍ厚の感熱フィルムを用いてもよい。
【００１７】
本実施形態に係る医療用プリンタ１００は、ロール紙Ｐに対して印刷する例えば感熱式のプリンタであって、図１に示すように、その筐体は、本体部１０２と、本体部１０２に対して開閉可能に設けられた可動部１０４とから構成される。
【００１８】
本体部１０２はロール紙Ｐに対して印刷する印刷ユニット（図示せず。）を収容するケースである。本体部１０２のｘ軸正方向側の面（以下、「本体部前面」とする。）１０２ａには、図２に示すようにロール紙Ｐを収容する収容部１５０が配置されており、本体部前面１０２ａに設けられた可動部１０４を開くことで収容部１５０にロール紙Ｐを収容できる。また、本体部前面１０２ａには、電源スイッチや可動部１０４を開くオープンボタン、プリンタ１００の稼働状態を表すランプ等からなる操作表示部１４０が設けられている。本体部前面１０２ａに可動部１０４および操作表示部１４０をまとめて配置することで、プリンタ１００の本体前面部１０２ａ側の空間を空けておけばプリンタ１００に対する操作を行うことができる。
【００１９】
可動部１０４は、本体部１０２のロール紙Ｐの収容部１５０を覆うように、本体部１０２に対して開閉可能に本体前面部１０２ａに設けられるカバー部材である。可動部１０４は、例えばプリンタ１００の底面側に設けられた幅方向（ｙ方向）に延びる軸部（図示せず。）を回動可能に支持する軸受部（図示せず。）を備える。可動部１０４の軸受部で本体部１０２の軸部を回動可能に支持することでヒンジが形成され、図２に示すように、可動部１０４の本体部前面１０２ａ上部側が本体部１０２に対して動くように構成することができる。
【００２０】
可動部１０４の上端部１０４ｂには、その一部が高さ方向（ｚ方向）に窪んだ窪み部分１０４ｄが形成されている。この窪み部分１０４ｄにより、可動部１０４の上端部１０４ｂとこれに対向する本体部前面１０２ａの下端部１０２ｂとの間に僅かに隙間が形成され、プリンタ１００内部の搬送路に沿って搬送されたロール紙Ｐが排出される排出口１１０となる。排出口１１０には、排出されたロール紙Ｐを切断するマニュアルカット機構が設けられている。
【００２１】
印刷ユニットにより収容部１５０に収容されているロール紙Ｐに印刷が行われると、ロール紙Ｐはプリンタ１００内の搬送路に沿って搬送され、排出口１１０から排出される。排出口１１０手前には、図２に示すように排出口１１０へロール紙Ｐを搬送する搬送ローラ１６０が設けられている。
【００２２】
［１．２．マニュアルカット機構］
本実施形態に係るプリンタ１００には、マニュアルカット機構として、本体部前面１０２ａの下端部１０２ｂに上側切断部（第２切断部）１２０が設けられ、可動部１０４の上端部１０４ｂの窪み部分１０４ｄに下側切断部（第１切断部）１３０が設けられている。以下、図３〜図９に基づいて、本実施形態に係る医療用プリンタ１００に設けられるマニュアルカット機構について説明する。なお、図３は可動部１０４の前面図、図４は可動部１０４の背面図、図５は可動部１０４の上面図を示す。図６は、可動部１０４が本体部１０２に閉じられた閉状態を示した図３のＡ−Ａ断面に対応する部分断面図であって、上部切断部１２０によりロール紙Ｐを切断している状況を示す。図７は、図６と同一の部分断面図であって、下部切断部１３０によりロール紙Ｐを切断している状況を示す。図８は、可動部１０４が途中まで開いている状態を示す部分断面図である。図９は、可動部１０４が全開された開状態を示す部分断面図である。
【００２３】
（１）上側切断部（第２切断部）
上側切断部１２０は、図６に示すように、排出口１１０から排出されたロール紙Ｐを上方に引いて切断する際に用いられるマニュアルカット機構である。上側切断部１２０は、排出口１１０の幅方向（ｙ方向）に沿って延びるカッター刃により構成されている。カッター刃は、金属やプラスチックなどの樹脂等から形成することができ、ロール紙Ｐとの接触部分は図１に示すようなロール紙Ｐに亀裂を入れやすいジグザグ形状や鋭利に形成される。なお、本実施形態において、上部切断部１２０は必ずしも設けなくともよい。
【００２４】
（２）下側切断部（第１切断部）
下側切断部１３０は、排出されたロール紙Ｐを下方に引いて切断する際に用いられるマニュアルカット機構である。本実施形態に係る下側切断部１３０は、可動部１０４に設けられており、可動部１０４とともに本体部１０２に対して回動する。可動部１０４は、プリンタ１００の前面を覆う前面パネル１０４Ａや、扉金具１０４Ｂ等からなり、回転軸１０４Ｃを回転中心として回動するように構成されている。本実施形態では、扉金具１０４Ｂは、回転軸１０４Ｃを中心とした回動のみ可能であるが、前面パネル１０４Ａは、回転軸１０４Ｃを中心とした回動に加え、径方向へも僅かに移動可能に構成されている。扉金具１０４Ｂには、図６に示すように、下部切断部１３０が固定されている。
【００２５】
下側切断部１３０は、ロール紙Ｐに亀裂を生じさせる部材であるカッター刃１３２と、カッター刃１３２の刃先と反対側に設けられ、扉金具１０４Ｂに固定される固定部１３４とからなる。
【００２６】
カッター刃１３２は、上部切断部１２０と同様、排出口１１０の幅方向（ｙ方向）に沿って設けられる。可動部１０４が本体部１０２に対して閉状態となったとき、カッター刃１３２の刃先１３２ａは排出口１１０から露出する。この状態で、本体側から刃先１３２ａに向かって高さ位置（ｚ軸方向における位置）が高くなるように傾斜させてカッター刃１３２を設けると、ロール紙Ｐをスムーズに排出できる。仮に、刃先１３２ａがロール紙Ｐの搬送方向に対して略垂直に設けられていると、ロール紙Ｐがプリンタ１００の内部に引き込まれた際に本体１０２の内部でカッター刃１３２に当接してしまい、ロール紙Ｐが排出口１１０から排出されないことがある。そこで、カッター刃１３２の刃先１３２ａを、可動部１０４の垂直面（すなわち、ｙｚ面）に対してロール紙Ｐの搬送方向に沿って傾斜させることで、ロール紙Ｐをスムーズに排出できる。カッター刃１３２は、金属やプラスチックなどの樹脂等から形成することができ、ロール紙Ｐとの接触部分はロール紙Ｐに亀裂を入れやすいジグザグ形状や鋭利に形成される。
【００２７】
固定部１３４は、扉金具１０４Ｂにカッター刃１３２を固定させるための部材であり、例えば、図６および図７に示すように、カッター刃１３２と一体形成されてもよい。固定部１３４は、例えばｚｘ平面の断面がＬ字形状の扉金具１０４Ｂの形状に対応するように、ｚｘ平面の断面がＬ字形状に形成される。固定部１３４の水平部分の端部には、カッター刃１３２の刃先１３２ａと反対側の端部が連結される。固定部１３４の水平部分に対するカッター刃１３２の傾斜角度は、例えば約２０〜３０°としてもよい。これにより、ロール紙Ｐの排出をスムーズにでき、ロール紙Ｐの切断位置に容易に亀裂を生じさせることができる。
【００２８】
（３）スライド部
本実施形態に係るプリンタ１００では、可動部１０４の開閉状態に応じて、前面パネル１０４Ａが扉金具１０４Ｂに対して回転軸１０４Ｃの径方向に移動可能に構成されている。この前面パネル１０４Ｂのスライド動作により、可動部１０４が閉状態のときには、図６および図７に示すように、下側切断部１３０のカッター刃１３２が、排出口１１０から露出され、ロール紙Ｐを切断可能な状態となる。一方、可動部１０４が開状態となると、図８および図９に示すように、前面パネル１０４Ｂが径方向外周側にスライドされ、カッター刃１３２が前面パネル１０４Ａにより覆われる。すなわち、前面パネル１０４Ａが開かれると、ユーザがカッター刃１３２に触れないようにカッター刃１３２を覆うことで、安全性を維持する。
【００２９】
本実施形態に係るスライド部は、前面パネル１０４Ａの内面１０４ｃに設けられたリブ１９２と、リブ１９２と当接するように本体部１０２に設けられたカム１９４と、からなる。
【００３０】
リブ１９２は、図６に示すように、前面パネル１０４Ａの内面１０４ｃから本体１０２内部に向かって突出する板状部材である。リブ１９２は、例えば、ｙ軸方向からみて、下部側が本体部１０２の底面１０２ｃに対して略平行な当接面１９２ａを有する、略三角形状に形成されている。リブ１９２は、図４に示すように、例えば前面パネル１０４Ａの内面１０４ｃの、幅方向両側に設けられた２つのリブ１９２Ａ、１９２Ｂからなる。
【００３１】
カム１９４は、図６に示すように、本体部１０２の底面１０２ｃの内部側に固定されている。カム１９４は、リブ１９２Ａ、１９２Ｂに対応して設けられた２つのカムからなる。カム１９４は、例えば、ｙ軸方向からみて、上部側が本体部１０２の底面１０２ｃに対して略平行な第１面１９４ａと、第１面１９４ａの前面パネル１０４側の端部から弧状に形成された第２面１９４ｂとを有する。
【００３２】
リブ１９２の当接面１９２ａは、カム１９４の第１面１９４ａおよび第２面１９４ｂに接している。そして、可動部１０４の開閉に応じて、リブ１９２の当接面１９２ａがカム１９４の第１面１９４ａおよび第２面１９４ｂに沿って移動する。
【００３３】
まず、可動部１０４が閉状態のときには、図６および図７に示すように、リブ１９２の当接面１９２ａはカム１９４の第１面１９４ａに当接している。そして、可動部１０４を開くように回動させると、リブ１９２の当接面１９２ａはカム１９４の第１面１９４ａに沿って前面パネル１０４Ａ側に移動した後、図８に示すように、当接面１９２ａがカム１９４の第１面１９４ａから第２面１９４ｂへと移動する。このとき、リブ１９２は回転軸１０４Ｃの径方向外周側にスライドされる。一方、下部切断部１３０の位置は変化しない。したがって、カッター刃１３２は前面パネル１０４Ａに覆われ、露出しない状態となる。
【００３４】
このように、リブ１９２の当接面１９２ａが接するカム１９４の面が変わることで、リブ１９２の移動方向が変更される。これにより、リブ１９２とともに動く前面パネル１０４Ａがスライドされ、回転軸１０４Ｃの径方向における位置が変更される。カム１９４の形状は、カッター刃１３２を前面パネル１０４Ａによって覆われた状態としたい開閉位置に応じて適宜決定される。例えば、可動部１０４が完全に閉じた閉状態から所定の角度、例えば約１０〜２０°開いたときにリブ１９２の当接面１９２ａがカム１９４の第１面１９４ａから第２面１９４ｂに移動するようにしてもよい。
【００３５】
さらに可動部１０４を開いていくと、リブ１９２の当接面１９２ａはカム１９４の第２面１９４ｂに沿って移動する。そして、可動部１０４が完全に開いた開状態となったときには、図９に示すように、カッター刃１３２は前面パネル１０４Ａ内に収容される。
【００３６】
一方、可動部１０４を、図９に示す開状態から図６および図７に示す閉状態へとするときには、上述とは逆の動きとなる。開状態の前面パネル１０４Ａを本体側１０２に押して閉じると、リブ１９２の当接面１９２ａは、カム１９４の第２面１９４ｂに沿って移動した後、第１面１９４ａへと移動する。この際、前面パネル１０４Ａが回転軸１０４Ｃの径方向中心側へスライドされる。そして、可動部１０４が閉状態となったとき、前面パネル１０４Ａは本体部１０２の前面パネル１０２ａと嵌合し、前面パネル１０４Ａは押し下げられた状態を維持する。これにより、前面パネル１０４Ａが閉状態のときにはカッター刃１３２が露出して、ロール紙Ｐを切断可能状態となる。
【００３７】
［１．３．ロール紙の切断］
図６および図７に、本実施形態に係る医療用プリンタ１００のマニュアルカット機構である上側切断部１２０および下側切断部１３０によるロール紙Ｐの切断方法を示す。図６および図７では、収容部１５０に収容されているロール紙Ｐに印刷ユニットによって印刷が行われた後、プリンタ１００内の搬送路に沿って搬送されるロール紙Ｐの状態を示している。印刷ユニットから搬送されてきたロール紙Ｐは、搬送ローラ１６０とガイド部材１７０との間を通過することによってロール紙Ｐの搬送速度、搬送量が調整され、印刷済の部分のみが排出口１１０から排出される。
【００３８】
まず、上側切断部１２０によるロール紙Ｐの切断は、図６に示すように、排出口１１０から排出されたロール紙Ｐを上方に引いて行われる。ユーザがロール紙Ｐを把持して上方（ｚ軸正方向）に引くと、ロール紙Ｐの切断位置が上側切断部１２０の先端に当接する。さらにユーザがロール紙Ｐの幅方向の一方の端部を上方へ引くと、上側切断部１２０によってロール紙Ｐの当該端部に亀裂が入る。そして、亀裂部分を上側切断部１２０の刃先に当てて、ロール紙Ｐを上方に引きつつ他端側へ引くことにより、ロール紙Ｐに連続的に亀裂が入り切断される。上側切断部１２０は全体がカッター刃により構成されているので、容易に、かつきれいな切断面でロール紙Ｐを切断することができる。
【００３９】
一方、下側切断部１３０によるロール紙Ｐの切断は、図７に示すように、排出口１１０から排出されたロール紙Ｐを下方に引いて行われる。ユーザがロール紙Ｐを把持して下方（ｚ軸負方向）に引くと、ロール紙Ｐの切断位置が下側切断部１３０のカッター刃１３２の刃先１３２ａに当接する。
そして、亀裂部分を下側切断部１３０の刃先１３２ａに当てて、ロール紙Ｐを下方に引きつつ他端側へ引くことにより、ロール紙Ｐに連続的に亀裂が入り切断される。下側切断部１３０も全体がカッター刃により構成されているので、容易に、かつきれいな切断面でロール紙Ｐを切断することができる。
【００４０】
このように、本実施形態に係る医療用プリンタ１００は、ロール紙Ｐを排出する排出口１１０の上部および下部にロール紙Ｐを切断するマニュアルカット機構を備えることにより、ロール紙Ｐを上方または下方のいずれに引いてもロール紙Ｐを切断できる。したがって、例えば図１８に示したようなカート１０の棚１４ｂあるいは１４ｃのいずれに置いたとしても、クリアランスのある方向にロール紙Ｐを引いて切断することが可能となる。
【００４１】
＜２．第２の実施形態＞
次に、図１０および図１１に基づいて、本開示の第２の実施形態に係るプリンタ２００のスライド構成の構成について説明する。なお、図１０は、可動部１０４が本体部１０２に閉じられた閉状態を示した図３のＡ−Ａ断面に対応する部分断面図であって、上部切断部１２０によりロール紙Ｐを切断している状況を示す。図１１は、可動部１０４が全開された開状態を示す部分断面図である。
【００４２】
本実施形態に係るプリンタ２００は、第１の実施形態に係るプリンタ１００と比較して、可動部１０４の開閉状態に応じて前面パネル１０４Ａをスライドさせるスライド部の構成が異なる。すなわち、本実施形態に係るプリンタ２００では、第１の実施形態に係るリブ１９２およびカム１９４の代わりに、本体部１０２の底面１０２ｃに突起部２０２が設けられている。以下、図１０および図１１に基づいて、本実施形態に係るプリンタ２００のスライド部の構成とその作用について説明する。なお、突起部２０２以外のプリンタ２００の各部の構成は、第１の実施形態と同様であるため、ここでは詳細な説明を省略する。
【００４３】
［２．１．突起部］
可動部１０４の前面パネル１０４Ａをスライドさせるスライド部である突起部２０２は、図１０に示すように、本体部１０２の底面１０２ｃの外部前面側に設けられている。突起部２０２は、可動部１０４が開状態であるとき、回動する前面パネル１０４Ａの下面１０４ｆと当接する位置に設けられる。突起部２０２は、幅方向（ｙ軸方向）の少なくとも一部に設けられていればよく、例えば、幅全体に延設されてもよく、両端付近に２カ所設けてもよく、中央付近に１箇所設けてもよい。突起部２０２は、例えば、本体部１０２と同一の材質で形成される。
【００４４】
［２．２．突起部による前面パネルのスライド］
本実施形態に係るプリンタ２００では、可動部１０４の開閉状態に応じて、前面パネル１０４Ａが扉金具１０４Ｂに対して回転軸１０４Ｃの径方向に移動可能に構成されている。この前面パネル１０４Ｂのスライド動作により、可動部１０４が閉状態のときには、図１０に示すように、下側切断部１３０のカッター刃１３２が、排出口１１０から露出され、ロール紙Ｐを切断可能な状態となる。一方、可動部１０４が開状態となると、図１１に示すように、前面パネル１０４Ｂが径方向外周側にスライドされ、カッター刃１３２が前面パネル１０４Ａにより覆われる。すなわち、前面パネル１０４Ａが開かれると、ユーザがカッター刃１３２に触れないようにカッター刃１３２を覆うことで、安全性を維持する。
【００４５】
まず、可動部１０４が閉状態のときには、図１０に示すように、下部切断部１３０のカッター刃１３２の刃先１３２ａは、前面パネル１０４Ａの開口部１０４ｅから露出している。したがって、ロール紙Ｐを下部切断部１３０のカッター刃１３２で切断することができる。
【００４６】
閉状態から可動部１０４を開くように回動させると、可動部１０４は回転軸１０４Ｃ周りに回転する。そして、図１１に示すように、前面パネル１０４Ａの下面１０４ｆが、本体部１０２に設けられた突起部２０２に当接する。このとき、前面パネル１０４Ａは、回転軸１０４Ｃの径方向外周側にスライドされる。一方、下部切断部１３０の位置は変化しない。したがって、カッター刃１３２は前面パネル１０４Ａに覆われ、露出しない状態となる。突起部２０２による前面パネル１０４Ａのスライド量は、前面パネル１０４Ａが突起部２０２により押し上げられたときに、カッター刃１３２の刃先１３２ａが隠れるように適宜調整される。
【００４７】
一方、可動部１０４を、図１１に示す開状態から図１０に示す閉状態へとするときには、上述とは逆の動きとなる。開状態の前面パネル１０４Ａを本体側１０２に押して閉じると、回動とともに前面パネル１０４Ａは突起部２０２によりスライドされていた分だけ回転軸１０４Ｃの径方向中心側へスライドされる。そして、可動部１０４が閉状態となったとき、前面パネル１０４Ａは本体部１０２の前面パネル１０２ａと嵌合し、前面パネル１０４Ａは押し下げられた状態を維持する。これにより、前面パネル１０４Ａが閉状態のときにはカッター刃１３２が露出して、ロール紙Ｐを切断可能状態となる。
【００４８】
以上、本開示の第２の実施形態に係るプリンタ２００のスライド部である突起部２０２の構成とその作用について説明した。本実施形態では、本体部１０２の底面１０２ｃに設けられた突起部２０２により、可動部１０４の開閉状態に応じて前面パネル１０４Ａが回転軸１０４Ｃの径方向にスライドされる。これにより、可動部１０４が閉状態のときには下部切断部１３０のカッター刃１３２が露出してロール紙Ｐを切断可能な状態とし、可動部１０４が閉状態から開状態となる過程で前面パネル１０４Ａがスライドされてカッター刃１３２が前面パネル１０４Ａで覆われる。したがって、ユーザは可動部１０４を開状態にした際にも、ロール紙Ｐの交換等を安全に行うことができる。
【００４９】
＜３．第３の実施形態＞
次に、図１２〜図１４に基づいて、本開示の第３の実施形態に係るプリンタ３００のスライド構成の構成について説明する。なお、図１２は、可動部１０４が本体部１０２に閉じられた閉状態を示した図３のＡ−Ａ断面に対応する部分断面図であって、上部切断部１２０によりロール紙Ｐを切断している状況を示す。図１３は、可動部１０４が途中まで開いている状態を示す部分断面図である。図１４は、可動部１０４が全開された開状態を示す部分断面図である。
【００５０】
本実施形態に係るプリンタ３００は、第１の実施形態に係るプリンタ１００および第２の実施形態に係るプリンタ２００と比較して、可動部１０４の開閉状態に応じて下部切断部３３０がスライドされる点が異なる。以下、本実施形態に係るプリンタ３００のスライド部の構成とその作用について説明する。なお、下部切断部３３０とこれをスライドさせるガイド部３１０以外のプリンタ３００の各部の構成は、第１の実施形態と同様であるため、ここでは詳細な説明を省略する。
【００５１】
［３．１．下部切断部の構成］
本実施形態に係るプリンタ３００は、図１２に示すように、下部切断部３３０が、カッター刃３３２と、カッター刃３２２と摺動部３３６とを連結する連結部３３４と、ガイド部３１０に沿って摺動する摺動部３３６とから構成されている。カッター刃３３２は、第１の実施形態のカッター刃１３２と同様に構成される。本実施形態では、カッター刃３３２は、可動部１０４の開閉状態に応じて摺動部３３６がガイド部３１０に沿って摺動するのに伴い、回転軸１０４Ｃの径方向に沿ってスライドする。
【００５２】
ガイド部３１０は、例えば本体部１０２の側面（ｙ軸方向の面）の内面に設けられ、図１２に示すように、２つのガイド３１２、３１４の間を摺動部３３６が摺動可能に形成されている。ガイド３１２、３１４は、例えば、本体部１０２と同一の材質で形成される。
【００５３】
［３．２．カッター刃のスライド］
本実施形態に係るプリンタ３００では、可動部１０４の開閉状態に応じて、下部切断部３３０が前面パネル１０４Ａに対して回転軸１０４Ｃの径方向に移動可能に構成されている。この下部切断部３３０のスライド動作により、可動部１０４が閉状態のときには、図１２に示すように、下側切断部３３０のカッター刃３３２が排出口１１０から露出され、ロール紙Ｐを切断可能な状態となる。一方、可動部１０４が開状態となると、図１４に示すように、カッター刃３３２が径方向回転中心側にスライドされ、カッター刃３３２が前面パネル１０４Ａの内部に収容され、前面パネル１０４Ａに覆われる。すなわち、前面パネル１０４Ａが開かれると、ユーザがカッター刃３３２に触れないようにカッター刃３３２を前面パネル１０４Ａに覆うことで、安全性を維持する。
【００５４】
まず、可動部１０４が閉状態のときには、図１２に示すように、下部切断部３３０のカッター刃３３２の刃先３３２ａは、前面パネル１０４Ａの開口部１０４ｅから露出している。したがって、ロール紙Ｐを下部切断部３３０のカッター刃３３２で切断することができる。
【００５５】
閉状態から可動部１０４を開くように回動させると、可動部１０４は回転軸１０４Ｃ周りに回転する。開状態と閉状態との途中状態では、図１３に示すように、ガイド部３１０に沿って摺動部３３６が反時計回りに移動し、これに伴い、カッター刃３３２も回転軸１０４Ｃの回転中心側に向かってスライドされていく。そして、図１４に示すように、前面パネル１０４Ａが完全に開いて開状態となると、カッター刃３３２は、回転軸１０４Ｃの径方向回転中心側に最もスライドされ、前面パネル１０４Ａの開口部１０４ｅに収容される。なお、前面パネル１０４Ａの位置は変化しない。このように、カッター刃３３２は前面パネル１０４Ａに覆われ、露出しない状態となる。
【００５６】
一方、可動部１０４を、図１４に示す開状態から図１２に示す閉状態へとするときには、上述とは逆の動きとなる。開状態の前面パネル１０４Ａを本体側１０２に押して閉じると、回動とともに下部切断部３３０の摺動部３３６はガイド部３１０に沿って時計回りに移動される。このとき、カッター刃３３２は、次第に回転軸１０４Ｃの径方向外周側へスライドされる。そして、可動部１０４が閉状態となり、前面パネル１０４Ａは本体部１０２の前面パネル１０２ａと嵌合したとき、カッター刃３３２は前面パネル１０４Ａの開口部１０４ｅから露出される。これにより、前面パネル１０４Ａが閉状態のときにはカッター刃３３２が露出して、ロール紙Ｐを切断可能状態となる。
【００５７】
以上、本開示の第３の実施形態に係るプリンタ３００の下部切断部３３０の構成とその作用について説明した。本実施形態では、可動部１０４の開閉状態に応じて下部切断部３３０が回転軸１０４Ｃの径方向にスライド可能に構成されている。これにより、可動部１０４が閉状態のときには下部切断部３３０のカッター刃３３２が露出してロール紙Ｐを切断可能な状態とし、可動部１０４が閉状態から開状態となる過程で下部切断部３３０がスライドされる。そして、可動部１０４が開状態となったとき、カッター刃３３２が前面パネル１０４Ａの内側に収容され、前面パネル１０４Ａで覆われる。したがって、ユーザは可動部１０４を開状態にした際にも、ロール紙Ｐの交換等を安全に行うことができる。
【００５８】
＜４．第４の実施形態＞
次に、図１５〜図１７に基づいて、本開示の第４の実施形態に係るプリンタ４００のスライド構成の構成について説明する。なお、図１５は、可動部１０４が本体部１０２に閉じられた閉状態を示した図３のＡ−Ａ断面に対応する部分断面図であって、上部切断部１２０によりロール紙Ｐを切断している状況を示す。図１６は、可動部１０４が途中まで開いている状態を示す部分断面図である。図１７は、可動部１０４が全開された開状態を示す部分断面図である。
【００５９】
本実施形態に係るプリンタ４００は、第３の実施形態と同様、可動部１０４の開閉状態に応じて下部切断部４３０がスライドされる構成となっている。プリンタ４００は、第３の実施形態に係るプリンタ３００と比較して、下部切断部４３０をばねの作用を利用して回転軸１０４Ｃの径方向にスライドさせる点で相違する。以下、本実施形態に係るプリンタ４００のスライド部の構成とその作用について説明する。なお、下部切断部４３０とこれをスライドさせるガイド部４１０以外のプリンタ４００の各部の構成は、第３の実施形態と同様であるため、ここでは詳細な説明を省略する。
【００６０】
［４．１．下部切断部の構成］
本実施形態に係るプリンタ４００は、図１５に示すように、第３の実施形態と同様、下部切断部４３０が、カッター刃４３２と、カッター刃４３２と摺動部４３６とを連結する連結部４３４と、ガイド部４１０に沿って摺動する摺動部４３６とから構成されている。カッター刃４３２は、第１の実施形態のカッター刃１３２と同様に構成される。本実施形態では、カッター刃４３２は、可動部１０４の開閉状態に応じて摺動部４３６がガイド部４１０に沿って摺動するのに伴い、回転軸１０４Ｃの径方向に沿ってスライドする。
【００６１】
ガイド部４１０は、例えば本体部１０２の側面（ｙ軸方向の面）の内面に設けられ、図１５に示すように、カムとして形成される。ガイド部４１０は、例えば、ｙ軸方向からみて、上部側が本体部１０２の底面１０２ｃに対して略平行な第１面４１２と、第１面４１２の前面パネル１０４側の端部から弧状に形成された第２面４１４とを有する。下部切断部４３０の摺動部４３６は、ガイド部４１０の第１面４１２および第２面４１４に接している。そして、可動部１０４の開閉に応じて、摺動部４３６がガイド部４１０の第１面４１２および第２面４１４に沿って移動する。
【００６２】
また、本実施形態に係る下部切断部４３０のカッター刃４３２は、可動部１０４が閉状態のときに伸長するように設けられたばね部材４４０により張力が加えられている。ばね部材４４０は、例えば引っ張りコイルばね等の引っ張り方向に力を加えるものであればよい。ばね部材４４０の固定端４４２は、下部切断部４３０の連結部４３４に設けられた突出部分に固定されている。一方、ばね部材４４０のフック部４４４は、扉金具１０４Ｂに引っ掛けられている。
【００６３】
［４．２．カッター刃のスライド］
本実施形態に係るプリンタ４００では、可動部１０４の開閉状態に応じて、下部切断部４３０が前面パネル１０４Ａに対して回転軸１０４Ｃの径方向に移動可能に構成されている。この下部切断部４３０のスライド動作により、可動部１０４が閉状態のときには、図１５に示すように、下側切断部４３０のカッター刃３３２が排出口１１０から露出され、ロール紙Ｐを切断可能な状態となる。一方、可動部１０４が開状態となると、図１７に示すように、カッター刃４３２が径方向回転中心側にスライドされ、カッター刃４３２が前面パネル１０４Ａの内部に収容され、前面パネル１０４Ａに覆われる。すなわち、前面パネル１０４Ａが開かれると、ユーザがカッター刃４３２に触れないようにカッター刃４３２を前面パネル１０４Ａに覆うことで、安全性を維持する。
【００６４】
まず、可動部１０４が閉状態のときには、図１５に示すように、下部切断部４３０のカッター刃４３２の刃先４３２ａは、前面パネル１０４Ａの開口部１０４ｅから露出している。したがって、ロール紙Ｐを下部切断部４３０のカッター刃４３２で切断することができる。このとき、ばね部材４４０は、伸びており、カッター刃４３２を回転軸１０４Ｃの回転中心に向かって引っ張る力を保持しているが、摺動部４３６がガイド部４１０の第１面４１２に接している間は、ばね部材４４０の張力がカッター刃４３２に作用しない。
【００６５】
閉状態から可動部１０４を開くように回動させると、可動部１０４は回転軸１０４Ｃ周りに回転する。開状態と閉状態との途中状態において、図１６に示すように、摺動部３３６がガイド部４１０の第１面４１２から第２面４１４に沿って移動するようになると、カッター刃４３２に、ばね部材４４０の張力がかかり、カッター刃４３２は回転軸１０４Ｃの回転中心に向かってスライドされる。これにより、カッター刃４３２は、前面パネル１０４Ａの内側に収容され、露出しない状態となる。
【００６６】
そして、図１７に示すように、前面パネル１０４Ａが完全に開いて開状態となると、カッター刃４３２は、回転軸１０４Ｃの径方向回転中心側に最もスライドされ、前面パネル１０４Ａの開口部１０４ｅに収容される。なお、前面パネル１０４Ａの位置は変化しない。このように、カッター刃４３２は前面パネル１０４Ａに覆われ、露出しない状態となる。
【００６７】
一方、可動部１０４を、図１７に示す開状態から図１５に示す閉状態へとするときには、上述とは逆の動きとなる。開状態の前面パネル１０４Ａを本体側１０２に押して閉じると、回動とともに下部切断部４３０の摺動部４３６はガイド部４１０の第２面４１４に沿って時計回りに移動される。このとき、カッター刃４３２は、次第に回転軸１０４Ｃの径方向外周側へスライドされる。そして、摺動部４３６がガイド部４１０の第２面４１４から第１面４１２に移動すると、ばね部材４４０が伸長した状態となる。そして、可動部１０４が閉状態となり、前面パネル１０４Ａが本体部１０２の前面パネル１０２ａと嵌合したとき、カッター刃４３２は前面パネル１０４Ａの開口部１０４ｅから露出される。これにより、前面パネル１０４Ａが閉状態のときにはカッター刃３３２が露出して、ロール紙Ｐを切断可能状態となる。このとき、ばね部材４４０は伸長した状態が維持されている。
【００６８】
以上、本開示の第４の実施形態に係るプリンタ４００の下部切断部４３０の構成とその作用について説明した。本実施形態では、可動部１０４の開閉状態に応じて下部切断部４３０が回転軸１０４Ｃの径方向にスライド可能に構成されている。これにより、可動部１０４が閉状態のときには下部切断部４３０のカッター刃４３２が露出してロール紙Ｐを切断可能な状態とし、可動部１０４が閉状態から開状態となる過程で下部切断部４３０がばね部材４４０の張力を受けてスライドされる。そして、可動部１０４が開状態となったとき、カッター刃４３２が前面パネル１０４Ａの内側に収容され、前面パネル１０４Ａで覆われる。したがって、ユーザは可動部１０４を開状態にした際にも、ロール紙Ｐの交換等を安全に行うことができる。
【００６９】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００７０】
例えば、上記実施形態では、第１切断部および第２切断部のカッター刃は、排出口１１０の幅方向（ｙ方向）に沿って延設された１つの部材で構成されていたが、本技術はかかる例に限定されない。例えば、第１切断部および第２切断部のカッター刃を、排出口１１０の幅方向に複数のカッター刃を設けて構成してもよい。例えば、３つのカッター刃の間隔を数ｍｍ程度開けて配置してもよい。
【００７１】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００７２】
なお、以下のような構成も本開示の技術的範囲に属する。
（１）
ロール紙を収容する本体部と、
前面を覆う前面パネルを備え、前記本体部に対して開閉可能に設けられる可動部と、
前記可動部に設けられ、前記本体部と前記可動部とにより形成される排出口から排出される前記ロール紙を切断する第１切断部と、
前記可動部の開閉状態に応じて、前記前面パネルまたは前記第１切断部を前記可動部の回転中心に対して径方向にスライドさせるスライド部と、
を備える、医療用プリンタ。
（２）
前記スライド部は、
前記前面パネルの内面に設けられたリブと、
前記リブと当接するように前記本体部に設けられたカムと、
からなり、
前記可動部が開状態のとき、前記前面パネルは、前記カムによって径方向外周側にスライドされ、前記第１切断部は、スライドされた前記前面パネルに収容される、前記（１）に記載の医療用プリンタ。
（３）
前記カムは、前記可動部が閉状態から所定の角度開いたときに、前記前面パネルを径方向外周側にスライドさせる形状に形成されている、前記（２）に記載の医療用プリンタ。
（４）
前記スライド部は、前記可動部が開状態のとき、前記前面パネルの底面と前記本体部の底面とが対向する位置に設けられた突起部からなり、
前記可動部が開状態のとき、前記前面パネルは、前記突起部によって径方向外周側にスライドされ、前記第１切断部は、スライドされた前記前面パネルに収容される、前記（１）に記載の医療用プリンタ。
（５）
前記スライド部は、
前記第１切断部の刃先と反対側に設けられた摺動部と、
前記本体部に設けられ、前記摺動部をガイドするガイド部と、
からなり、
前記可動部が開状態のとき、前記第１切断部は、前記摺動部が前記ガイド部によって径方向外周側にスライドされ、前記前面パネルに収容される、前記（１）に記載の医療用プリンタ。
（６）
前記スライド部は、
前記第１切断部の刃先と反対側に設けられた摺動部と、
前記本体部に設けられ、前記摺動部をガイドするガイド部と、
前記可動部が閉状態のとき前記第１切断部と前記可動部の回転中心とを結ぶ方向に伸長するように、前記第１切断部に設けられるばね部材と、
からなり、
前記可動部が閉状態から所定の角度開いたときに、前記摺動部が前記ばね部材によって径方向外周側に引き込まれ、前記第１切断部が記前面パネルに収容される、前記（１）に記載の医療用プリンタ。
（７）
前記第１切断部は、前記排出口の幅方向に配置された１または複数のカッター刃からなる、前記（１）〜（６）のいずれか１項に記載の医療用プリンタ。
（８）
前記本体部に設けられ、前記排出口から排出される前記ロール紙を切断する第２切断部を備える、前記（１）〜（７）のいずれか１項に記載の医療用プリンタ。
【符号の説明】
【００７３】
１０                  カート
１００、２００、３００、４００    プリンタ（医療用プリンタ）
１０２                    本体部
１０２ｃ                  底面
１０４                    可動部
１０４Ａ                  前面パネル
１０４Ｂ                  扉金具
１０４Ｃ                  回転軸
１０４ｅ                  開口部
１１０                    排出口
１２０                    上部切断部（第２切断部）
１３０、３３０、４３０    下部切断部（第１切断部）
１３２、３３２、４３２    カッター刃
１４０                    操作表示部
１５０                    収容部
１６０                    搬送ローラ
１７０                    ガイド部材
２０２                    突起部
３１０、４１０            ガイド部
３１２、３１４            ガイド
３３４、４３４            連結部
３３６、４３６            摺動部
４１２                    （ガイド部４１０の）第１面
４１４                    （ガイド部４１０の）第２面
４４０                    ばね部材
４４２                    固定端
４４４                    フック部
Ｐ                        ロール紙
【図１】
2016030417.tif 000003
【図２】
2016030417.tif 000004
【図３】
2016030417.tif 000005
【図４】
2016030417.tif 000006
【図５】
2016030417.tif 000007
【図６】
2016030417.tif 000008
【図７】
2016030417.tif 000009
【図８】
2016030417.tif 000010
【図９】
2016030417.tif 000011
【図１０】
2016030417.tif 000012
【図１１】
2016030417.tif 000013
【図１２】
2016030417.tif 000014
【図１３】
2016030417.tif 000015
【図１４】
2016030417.tif 000016
【図１５】
2016030417.tif 000017
【図１６】
2016030417.tif 000018
【図１７】
2016030417.tif 000019
【図１８】
2016030417.tif 000020